(57)【要約】【課題】用紙の第１面と第２面に印刷される画像の倍率を合わせる際に発生するポリゴンスキャナの回転数不安定を回避し、不要な感光体上の光走査を防止する。【解決手段】書込制御部１０６は、レーザダイオード（ＬＤ）１０１より発生されるレーザ光を変調するための書込クロックを発生し、また画像の主走査方向の走査倍率である主走査倍率または副走査方向の走査倍率である副走査倍率を調整する。回転制御部１１１は、ポリゴンスキャナ１０２の回転数を制御する。同期検知器１０５は、感光体ドラム１０４に対する主走査方向の画像書き込み範囲外のレーザ光を検知して、その主走査方向のレーザ光による画像書き込み開始位置を規定するための同期検知信号を生成して出力する。【選択図】        図１
2007076061.tif 000002
【特許請求の範囲】
【請求項１】
画像情報に応じて変調されたレーザ光を主走査方向に反復走査することにより、その主走査方向に直交する副走査方向に回動する像担持体上に前記レーザ光による画像の書き込みを行うポリゴンスキャナを備えた光書込装置であって、
前記ポリゴンスキャナの回転数を制御する回転数制御手段と、
前記レーザ光を変調するための書込クロックを発生する書込クロック発生手段と、
前記像担持体に対する前記主走査方向の画像書き込み範囲外の前記レーザ光を検知して、その主走査方向の前記レーザ光による画像書き込み開始位置を規定するための同期検知信号を生成して出力する同期検知手段と、
前記レーザ光による画像の書き込みの際に行う、その画像の主走査方向の走査倍率である主走査倍率または副走査方向の走査倍率である副走査倍率の調整のための、前記回転数制御手段による前記ポリゴンスキャナの回転数の切替えに先立ち、同期検知信号用強制点灯位置を定常位置からずらす走査倍率調整手段と、
を備えていることを特徴とする光書込装置。
【請求項２】
さらに、前記ポリゴンスキャナによる走査周期を測定する走査周期測定手段を備え、
前記走査倍率調整手段は、前記回転数制御手段が前記主走査倍率または前記副走査倍率を調整するために前記ポリゴンスキャナの回転数を切り替える際に、前記同期検知信号用強制点灯位置を定常位置からずらして、前記走査周期測定手段に前記走査周期を測定させ、その測定した走査周期と目標とする走査周期との差異を算出し、その差異が所定の値以下となった場合に、同期検知信号用強制点灯位置を定常位置に戻すことを特徴とする請求項１に記載の光書込装置。
【請求項３】
請求項１または２に記載の光書込装置を備えていることを特徴とする画像形成装置。
【請求項４】
画像情報に応じて変調されたレーザ光を主走査方向に反復走査することにより、その主走査方向に直交する副走査方向に回動する像担持体上に前記レーザ光による画像の書き込みをポリゴンスキャナを用いて行う光書込方法であって、
前記レーザ光を変調するための書込クロックを発生する書込クロック発生工程と、
前記像担持体に対する前記主走査方向の画像書き込み範囲外の前記レーザ光を検知して、その主走査方向の前記レーザ光による画像書き込み開始位置を規定するための同期検知信号を生成して出力する同期検知工程と、
同期検知信号用強制点灯位置を定常位置からずらす走査倍率調整工程と、
書き込む画像の主走査方向の走査倍率である主走査倍率または副走査方向の走査倍率である副走査倍率を調整するために前記ポリゴンスキャナの回転数を制御する回転数制御工程と、
を含むことを特徴とする光書込方法。
【請求項５】
画像情報に応じて変調されたレーザ光を主走査方向に反復走査することにより、その主走査方向に直交する副走査方向に回動する像担持体上に前記レーザ光による画像の書き込みをポリゴンスキャナを用いて行う光書込方法であって、
前記レーザ光を変調するための書込クロックを発生する書込クロック発生工程と、
前記像担持体に対する前記主走査方向の画像書き込み範囲外の前記レーザ光を検知して、その主走査方向の前記レーザ光による画像書き込み開始位置を規定するための同期検知信号を生成して出力する同期検知工程と、
同期検知信号用強制点灯位置を定常位置からずらす第１の走査倍率調整工程と、
書き込む画像の主走査方向の走査倍率である主走査倍率または副走査方向の走査倍率である副走査倍率を調整するために前記ポリゴンスキャナの回転数を制御する回転数制御工程と、
前記ポリゴンスキャナによる走査周期を測定する走査周期測定工程と、
前記走査周期測定工程により測定された走査周期と目標とする走査周期との差異を算出し、その差異が所定の値以下となった場合に、前記同期検知信号用強制点灯位置を定常位置に戻す第２の走査倍率調整工程と、
を含むことを特徴とする光書込方法。
【請求項６】
請求項４または５に記載の光書込方法をコンピュータに実行させることを特徴とする光書込プログラム。
【発明の詳細な説明】
【技術分野】
【０００１】
この発明は、光書込装置、画像形成装置、光書込方法、および光書込プログラムに関する。
【背景技術】
【０００２】
一般に、電子写真方式の画像形成装置は、光走査手段と、現像手段と、転写手段と、定着手段と、を備えている。
【０００３】
前記光走査手段は、画像情報（画像信号）に応じて変調されたレーザ光をポリゴンスキャナによって主走査方向に反復走査することにより、その主走査方向に直交する副走査方向に回動する感光体（像担持体）上に静電潜像を形成する（レーザ光による画像の書き込みを行う）。また前記現像手段は、前記光走査手段によって感光体上に形成された静電潜像をトナーにより可視像化する（トナーにより現像して可視画像を形成する）。前記転写手段は、前記現像手段によって感光体上に形成された可視画像（以下、単に画像という）を用紙上に転写する。前記定着手段は、前記転写手段によって用紙上に転写された画像を熱定着する。
【０００４】
このような画像形成装置として、用紙の片面（第１面）に画像を印刷（転写・定着）した後、その用紙の表裏面を反転機構を介して反転させ、他方の面（第２面）に別の画像を印刷して出力するための両面印刷機能を備えたものがある。このような両面印刷機能を備えた画像形成装置では、１枚の用紙に対する一度目の画像定着の前後に、その用紙に縮みが発生し、結果として第２面に印刷された画像の方が倍率が大きくなる。画像定着時の用紙の縮みの主原因は、画像定着のための加熱により、その用紙に含まれる水分が蒸発することによって生じる。用紙の縮み量は、その用紙の種類やセット方向によって異なり、０〜−０．３％程度の値である。
【０００５】
このような問題を解決し、用紙の第１面と第２面に印刷される画像の倍率を合わせるためには、第２面に転写する画像の倍率を、用紙の縮みに合わせて小さくすればよい。この処理を実行する方法としては、画像形成装置において、ポリゴンスキャナの回転数および書込クロック周波数を切り替える方法が知られている（たとえば、特許文献１を参照。）。
【０００６】
【特許文献１】特開平１１−２３９２５０号公報
【発明の開示】
【発明が解決しようとする課題】
【０００７】
ところで、画像書き込み用のレーザ光を、主走査方向の非画像領域で点灯して光センサに入射させ、光センサからの電気信号（同期検知信号）出力を主走査画像書き出し位置の基準とする制御方式が一般的に用いられている。上記従来技術においてもこの制御方式が採用されている。
【０００８】
この制御方式では、主走査方向に反復走査するレーザ光を、光センサに入射するよりも前に点灯（同期検知用強制点灯）し、光センサに入射させて同期検知信号が得られればレーザ光を消灯する。同期検知用強制点灯のタイミングは、光センサにレーザ光が入射するよりも前であることが必要だが、無用に長い期間点灯すると、迷光による異常画像の原因となるため、適切なタイミングで点灯するように制御する。具体的には、同期検知用強制点灯は、画素クロックでカウントアップし同期検知信号入力でカウンタ値がリセットされる主走査カウンタの値が同期検知用強制点灯開始位置設定値を超えたところで、開始し、同期検知信号が発生した時点で消灯する。
【０００９】
画像の倍率を調整するためにポリゴンスキャナの回転数を切り替えた場合、回転数が過渡的変化を示す。回転数の過渡的変化は、減衰振動を示す場合もある。ポリゴンスキャナの回転数が変動すると、主走査の反復周期が変動する。回転数が高回転側に振れたときには、主走査の反復周期は短くなり、回転数が低回転側に振れたときには、主走査の反復周期は長くなる。
【００１０】
特に、主走査の反復周期が短くなると、同期検知用強制点灯が開始しても、レーザ光のスキャン位置がすでに光センサを通り過ぎている場合がある。このときには、同期検知信号の発生がないので、次の走査でレーザ光が光センサに入射するまで、同期検知用強制点灯が続くことになる。つまり、非画像領域で行われるべき、同期検知用強制点灯のレーザ光が、感光体上の画像領域を走査してしまうという問題があった。
【００１１】
この発明は、上述した従来技術による問題点を解消するため、用紙の第１面と第２面に印刷される画像の倍率を合わせる際に発生するポリゴンスキャナの回転数不安定を回避し、不要な感光体上の光走査を防止することができる光書込装置、光書込方法、および光書込プログラムを提供することを目的とする。また、その光書込装置を備えた画像形成装置を提供することも、この発明の目的である。
【課題を解決するための手段】
【００１２】
上述した課題を解決し、目的を達成するため、請求項１に記載の発明にかかる光書込装置は、画像情報に応じて変調されたレーザ光を主走査方向に反復走査することにより、その主走査方向に直交する副走査方向に回動する像担持体上に前記レーザ光による画像の書き込みを行うポリゴンスキャナを備えた光書込装置であって、前記ポリゴンスキャナの回転数を制御する回転数制御手段と、前記レーザ光を変調するための書込クロックを発生する書込クロック発生手段と、前記像担持体に対する前記主走査方向の画像書き込み範囲外の前記レーザ光を検知して、その主走査方向の前記レーザ光による画像書き込み開始位置を規定するための同期検知信号を生成して出力する同期検知手段と、前記レーザ光による画像の書き込みの際に行う、その画像の主走査方向の走査倍率である主走査倍率または副走査方向の走査倍率である副走査倍率の調整のための、前記回転数制御手段による前記ポリゴンスキャナの回転数の切替えに先立ち、同期検知信号用強制点灯位置を定常位置からずらす走査倍率調整手段と、を備えていることを特徴とする。
【００１３】
この請求項１に記載の発明によれば、画像の倍率を調整するためにポリゴンスキャナの回転数を切り替える場合に、同期検知信号用強制点灯位置を定常位置からずらして、用紙の第１面と第２面に印刷される画像の倍率を合わせ、かつポリゴンスキャナの回転数不安定に起因する不要な感光体上の光走査を防止することができる。
【００１４】
また、請求項２に記載の発明にかかる光書込装置は、請求項１に記載の発明において、さらに、前記ポリゴンスキャナによる走査周期を測定する走査周期測定手段を備え、前記走査倍率調整手段は、前記回転数制御手段が前記主走査倍率または前記副走査倍率を調整するために前記ポリゴンスキャナの回転数を切り替える際に、前記同期検知信号用強制点灯位置を定常位置からずらして、前記走査周期測定手段に前記走査周期を測定させ、その測定した走査周期と目標とする走査周期との差異を算出し、その差異が所定の値以下となった場合に、同期検知信号用強制点灯位置を定常位置に戻すことを特徴とする。
【００１５】
この請求項２に記載の発明によれば、画像の倍率を調整するためにポリゴンスキャナの回転数を切り替える場合に、同期検知信号用強制点灯位置を定常位置からずらしたりまた定常位置へ戻したりして、用紙の第１面と第２面に印刷される画像の倍率を合わせ、かつポリゴンスキャナの回転数不安定に起因する不要な感光体上の光走査を防止することができる。
【００１６】
また、請求項３に記載の発明にかかる画像形成装置は、請求項１または２に記載の光書込装置を備えていることを特徴とする。
【００１７】
この請求項３に記載の発明によれば、高速かつ高画質な両面印刷処理が可能な画像形成装置を提供できる。
【００１８】
また、請求項４に記載の発明にかかる光書込方法は、画像情報に応じて変調されたレーザ光を主走査方向に反復走査することにより、その主走査方向に直交する副走査方向に回動する像担持体上に前記レーザ光による画像の書き込みをポリゴンスキャナを用いて行う光書込方法であって、前記レーザ光を変調するための書込クロックを発生する書込クロック発生工程と、前記像担持体に対する前記主走査方向の画像書き込み範囲外の前記レーザ光を検知して、その主走査方向の前記レーザ光による画像書き込み開始位置を規定するための同期検知信号を生成して出力する同期検知工程と、同期検知信号用強制点灯位置を定常位置からずらす走査倍率調整工程と、書き込む画像の主走査方向の走査倍率である主走査倍率または副走査方向の走査倍率である副走査倍率を調整するために前記ポリゴンスキャナの回転数を制御する回転数制御工程と、を含むことを特徴とする。
【００１９】
この請求項４に記載の発明によれば、画像の倍率を調整するためにポリゴンスキャナの回転数を切り替える場合に、同期検知信号用強制点灯位置を定常位置からずらして、用紙の第１面と第２面に印刷される画像の倍率を合わせ、かつポリゴンスキャナの回転数不安定に起因する不要な感光体上の光走査を防止することができる。
【００２０】
また、請求項５に記載の発明にかかる光書込方法は、画像情報に応じて変調されたレーザ光を主走査方向に反復走査することにより、その主走査方向に直交する副走査方向に回動する像担持体上に前記レーザ光による画像の書き込みをポリゴンスキャナを用いて行う光書込方法であって、前記レーザ光を変調するための書込クロックを発生する書込クロック発生工程と、前記像担持体に対する前記主走査方向の画像書き込み範囲外の前記レーザ光を検知して、その主走査方向の前記レーザ光による画像書き込み開始位置を規定するための同期検知信号を生成して出力する同期検知工程と、同期検知信号用強制点灯位置を定常位置からずらす第１の走査倍率調整工程と、書き込む画像の主走査方向の走査倍率である主走査倍率または副走査方向の走査倍率である副走査倍率を調整するために前記ポリゴンスキャナの回転数を制御する回転数制御工程と、前記ポリゴンスキャナによる走査周期を測定する走査周期測定工程と、前記走査周期測定工程により測定された走査周期と目標とする走査周期との差異を算出し、その差異が所定の値以下となった場合に、前記同期検知信号用強制点灯位置を定常位置に戻す第２の走査倍率調整工程と、を含むことを特徴とする。
【００２１】
この請求項５に記載の発明によれば、画像の倍率を調整するためにポリゴンスキャナの回転数を切り替える場合に、同期検知信号用強制点灯位置を定常位置からずらしたりまた定常位置へ戻したりして、用紙の第１面と第２面に印刷される画像の倍率を合わせ、かつポリゴンスキャナの回転数不安定に起因する不要な感光体上の光走査を防止することができる。
【００２２】
また、請求項６に記載の発明にかかる光書込プログラムは、請求項４または５に記載の光書込方法をコンピュータに実行させることを特徴とする。
【００２３】
この請求項６に記載の発明によれば、請求項４または５に記載の光書込方法をコンピュータに実行させることができる。
【発明の効果】
【００２４】
以上説明したように、請求項１に記載の発明によれば、画像情報に応じて変調されたレーザ光を主走査方向に反復走査することにより、その主走査方向に直交する副走査方向に回動する像担持体上に前記レーザ光による画像の書き込みを行うポリゴンスキャナを備えた光書込装置であって、前記ポリゴンスキャナの回転数を制御する回転数制御手段と、前記レーザ光を変調するための書込クロックを発生する書込クロック発生手段と、前記像担持体に対する前記主走査方向の画像書き込み範囲外の前記レーザ光を検知して、その主走査方向の前記レーザ光による画像書き込み開始位置を規定するための同期検知信号を生成して出力する同期検知手段と、前記レーザ光による画像の書き込みの際に行う、その画像の主走査方向の走査倍率である主走査倍率または副走査方向の走査倍率である副走査倍率の調整のための、前記回転数制御手段による前記ポリゴンスキャナの回転数の切替えに先立ち、同期検知信号用強制点灯位置を定常位置からずらす走査倍率調整手段と、を備えているので、画像の倍率を調整するためにポリゴンスキャナの回転数を切り替える場合に、同期検知信号用強制点灯位置を定常位置からずらして、用紙の第１面と第２面に印刷される画像の倍率を合わせ、かつポリゴンスキャナの回転数不安定に起因する不要な感光体上の光走査を防止することができるという効果を奏する。
【００２５】
また、請求項２に記載の発明によれば、請求項１に記載の発明において、さらに、前記ポリゴンスキャナによる走査周期を測定する走査周期測定手段を備え、前記走査倍率調整手段は、前記回転数制御手段が前記主走査倍率または前記副走査倍率を調整するために前記ポリゴンスキャナの回転数を切り替える際に、前記同期検知信号用強制点灯位置を定常位置からずらして、前記走査周期測定手段に前記走査周期を測定させ、その測定した走査周期と目標とする走査周期との差異を算出し、その差異が所定の値以下となった場合に、同期検知信号用強制点灯位置を定常位置に戻すので、画像の倍率を調整するためにポリゴンスキャナの回転数を切り替える場合に、同期検知信号用強制点灯位置を定常位置からずらしたりまた定常位置へ戻したりして、用紙の第１面と第２面に印刷される画像の倍率を合わせ、かつポリゴンスキャナの回転数不安定に起因する不要な感光体上の光走査を防止することができるという効果を奏する。
【００２６】
また、請求項３に記載の発明によれば、画像形成装置を請求項１または２に記載の光書込装置が備えられた構成としているので、高速かつ高画質な両面印刷処理が可能な画像形成装置を提供できるという効果を奏する。
【００２７】
また、請求項４に記載の発明によれば、画像情報に応じて変調されたレーザ光を主走査方向に反復走査することにより、その主走査方向に直交する副走査方向に回動する像担持体上に前記レーザ光による画像の書き込みをポリゴンスキャナを用いて行う光書込方法であって、前記レーザ光を変調するための書込クロックを発生する書込クロック発生工程と、前記像担持体に対する前記主走査方向の画像書き込み範囲外の前記レーザ光を検知して、その主走査方向の前記レーザ光による画像書き込み開始位置を規定するための同期検知信号を生成して出力する同期検知工程と、同期検知信号用強制点灯位置を定常位置からずらす走査倍率調整工程と、書き込む画像の主走査方向の走査倍率である主走査倍率または副走査方向の走査倍率である副走査倍率を調整するために前記ポリゴンスキャナの回転数を制御する回転数制御工程と、を含むので、画像の倍率を調整するためにポリゴンスキャナの回転数を切り替える場合に、同期検知信号用強制点灯位置を定常位置からずらして、用紙の第１面と第２面に印刷される画像の倍率を合わせ、かつポリゴンスキャナの回転数不安定に起因する不要な感光体上の光走査を防止することができるという効果を奏する。
【００２８】
また、請求項５に記載の発明によれば、画像情報に応じて変調されたレーザ光を主走査方向に反復走査することにより、その主走査方向に直交する副走査方向に回動する像担持体上に前記レーザ光による画像の書き込みをポリゴンスキャナを用いて行う光書込方法であって、前記レーザ光を変調するための書込クロックを発生する書込クロック発生工程と、前記像担持体に対する前記主走査方向の画像書き込み範囲外の前記レーザ光を検知して、その主走査方向の前記レーザ光による画像書き込み開始位置を規定するための同期検知信号を生成して出力する同期検知工程と、同期検知信号用強制点灯位置を定常位置からずらす第１の走査倍率調整工程と、書き込む画像の主走査方向の走査倍率である主走査倍率または副走査方向の走査倍率である副走査倍率を調整するために前記ポリゴンスキャナの回転数を制御する回転数制御工程と、前記ポリゴンスキャナによる走査周期を測定する走査周期測定工程と、前記走査周期測定工程により測定された走査周期と目標とする走査周期との差異を算出し、その差異が所定の値以下となった場合に、前記同期検知信号用強制点灯位置を定常位置に戻す第２の走査倍率調整工程と、を含むので、画像の倍率を調整するためにポリゴンスキャナの回転数を切り替える場合に、同期検知信号用強制点灯位置を定常位置からずらしたりまた定常位置へ戻したりして、用紙の第１面と第２面に印刷される画像の倍率を合わせ、かつポリゴンスキャナの回転数不安定に起因する不要な感光体上の光走査を防止することができるという効果を奏する。
【００２９】
また、請求項６に記載の発明によれば、請求項４または５に記載の光書込方法をコンピュータに実行させることによって、請求項４または５に記載の光書込方法をコンピュータで実現することが可能なプログラムが得られるという効果を奏する。
【発明を実施するための最良の形態】
【００３０】
以下、添付図面を参照して、この発明にかかる光書込装置、画像形成装置、光書込方法、および光書込プログラムの好適な実施の形態を詳細に説明する。
【００３１】
（実施の形態１）
（光書込装置の機能的構成）
図１は、この発明の実施の形態１にかかる光書込装置の機能的構成を示す図である。
【００３２】
図１に示す光書込装置において、レーザダイオード（ＬＤ）１０１より画像信号に応じて変調されたレーザ光が出射され、そのレーザ光は、回転するポリゴンスキャナ１０２により主走査方向に反復走査され、レンズ１０３を介して感光体ドラム１０４上（あらかじめ帯電された面）に結像される。以後、公知の作像プロセスを経て、トナー画像が給紙された用紙の第１面（片面）に転写され、定着手段（不図示）にて熱定着される。
【００３３】
その後、第１面にトナー画像が印刷された用紙は、両面モードの場合に、反転手段（不図示）にて表裏面が反転されて再給紙され、第２面に別のトナー画像が転写され、画像定着された後、排紙トレイ（不図示）に排紙される。
【００３４】
同期検知器１０５は、光電変換素子および信号波形整形回路からなる同期検知手段である。この同期検知器１０５は、感光体ドラム１０４に対する主走査方向の画像書き込み範囲外のレーザ光を検知し、その主走査方向のレーザ光による画像書き込み開始位置を規定するための同期検知信号を生成して書込制御部１０６へ出力する。
【００３５】
書込制御部１０６は、メモリ制御回路、および書込クロック生成回路を備えている。また、書込制御部１０６は、走査倍率調整機能も備えている。
【００３６】
書込制御部１０６内のメモリ制御回路は、同期検知器１０５からの同期検知信号に基づき、システム制御部１０７からの画像信号をラインメモリ１０８を介してＰＷＭ回路１０９へ送る。
【００３７】
ＰＷＭ回路１０９は、書込制御部１０６から受け取った画像信号に基づいてＰＷＭ信号を生成し、それをＬＤドライバ１１０へ出力する。ＰＷＭ信号の出力は、書込制御部１０６から出力される書込クロックに同期して行う。
【００３８】
書込制御部１０６内の書込クロック生成回路は、書込クロック発生手段であり、主走査画素単位の周期でクロックを生成する。
【００３９】
回転制御部１１１は、回転数設定値（設定された回転数）に応じた基準クロックを、ポリゴンミラー（不図示）と共にポリゴンスキャナ１０２を構成するスキャナモータ（不図示）へ出力する。
【００４０】
システム制御部１０７は、この光書込装置を含む画像形成装置（不図示）全体を制御する。システム制御部１０７に格納される制御ソフトウェアは、ソフトウェアを記憶した外部媒体からダウンロードすることで更新が可能である。
【００４１】
操作パネル１１２は、各種情報を入力するための入力部と、各種情報を表示する表示部とからなる。この操作パネル１１２では、用紙の第１面に印刷（作像）する画像と第２面に印刷する画像の主走査倍率と副走査倍率とを個別に設定することが可能である。
【００４２】
ここで、用紙の第１面と第２面に対してそれぞれ設定された主走査倍率（印刷する画像の主走査方向の倍率）調整値、副走査倍率（印刷する画像の副走査方向の倍率）調整値に対応するポリゴンスキャナ１０２の回転数（ポリゴンミラーの回転数）、および書込クロック周波数の調整量を表１に示す。
【００４３】
【表１】
2007076061.tif 000003
【００４４】
（光書込装置の処理手順）
図２は、この発明の実施の形態１にかかる光書込装置の処理手順を示すフローチャートである。以下、この図２に基づき、この光書込装置の処理手順を説明する。なお、ここで説明するのは、光書込装置における用紙の第１面の走査倍率設定値と第２面の副走査倍率設定値とが異なる場合の例である。この処理を実行するためのプログラムは、システム制御部１０７に格納されている。
【００４５】
図２のフローチャートにおいて、用紙の第１面の走査を終了する（ステップＳ２０１）。この工程では、用紙の第１面に画像を印刷するために、ポリゴンスキャナ１０２のポリゴンミラーによる感光体ドラム１０４へのレーザ光の走査が実行される。次に、同期検知用強制点灯開始位置を手前側にずらす（ステップＳ２０２）。具体的には、書込制御部１０６が、同期検知用強制点灯位置設定を定常値よりも手前側にずらす。ずらし量は、ポリゴンスキャナ１０２のポリゴンモータの回転数変動を考慮した値である。
【００４６】
次に、ポリゴン基準クロックを第２面用の値へ切り替える（ステップＳ２０３）。具体的には、回転制御部１１１が、ポリゴンスキャナ１０２のポリゴンモータへ出力する基準クロックを用紙の第２面への画像印刷に対応する回転数設定値に応じた値に切り替える。このとき、画像の走査倍率（主走査倍率または副走査倍率）を調整するためにポリゴンスキャナ１０２の回転数を回転数設定値に切り替える。
【００４７】
そして、ポリゴンスキャナ１０２の回転数が安定するまで待つ（ステップＳ２０４）。その後、同期検知用強制点灯開始位置を定常値に戻す（ステップＳ２０５）。この処理は、書込制御部１０６が行う。書込制御部１０６が書込クロックを第２面用の値に変更する（ステップＳ２０６）。この処理における書込クロックは、表１に示したとおりである。
【００４８】
続いて、用紙の第２面の走査を終了する（ステップＳ２０７）。この工程では、用紙の第２面に画像を印刷するために、ポリゴンスキャナ１０２による感光体ドラム１０４へのレーザ光の走査が実行される。次に、同期検知用強制点灯開始位置を手前側にずらす（ステップＳ２０８）。具体的には、書込制御部１０６が、同期検知用強制点灯位置設定を定常値よりも手前側にずらす。ずらし量は、ポリゴンスキャナ１０２のポリゴンモータの回転数変動を考慮した値である。
【００４９】
次に、ポリゴン基準クロックを第１面用の値へ切り替える（ステップＳ２０９）。具体的には、回転制御部１１１が、ポリゴンスキャナ１０２のポリゴンモータへ出力する基準クロックを用紙の第１面への画像印刷に対応する回転数設定値に応じた値に切り替える。このとき、画像の走査倍率（主走査倍率または副走査倍率）を調整するためにポリゴンスキャナ１０２の回転数を回転数設定値に切り替える。
【００５０】
そして、ポリゴンスキャナ１０２の回転数が安定するまで待つ（ステップＳ２１０）。その後、同期検知用強制点灯開始位置を定常値に戻す（ステップＳ２１１）。この処理は、書込制御部１０６が行う。書込制御部１０６が書込クロックを第１面用の値に変更する（ステップＳ２１２）。この処理における書込クロックは、表１に示したとおりである。
【００５１】
このような手順によって、走査倍率（主走査倍率または副走査倍率）の設定値を用紙の縮みを補正する値とすることで、第１面の画像定着時の加熱により用紙が縮むことにより、第２面に印刷される画像の倍率が第１面に比べて大きくなることを補正できる。また、ポリゴンスキャナ１０２の回転数が不安定な期間中には、同期検知用強制点灯位置設定を定常値よりも手前側にずらしているので、ポリゴンスキャナ１０２の回転数が低回転側に振れて主走査の反復周期が短くなっても、レーザ光が感光体ドラム１０４上の画像領域を走査してしまうようなことはない。
【００５２】
（実施の形態２）
（光書込装置の機能的構成）
図３は、この発明の実施の形態２にかかる光書込装置の機能的構成を示す図である。
【００５３】
図３に示す光書込装置において、レーザダイオード（ＬＤ）２０１より画像信号に応じて変調されたレーザ光が出射され、そのレーザ光は、回転するポリゴンスキャナ２０２により主走査方向に反復走査され、レンズ２０３を介して感光体ドラム２０４上（あらかじめ帯電された面）に結像される。以後、公知の作像プロセスを経て、トナー画像が給紙された用紙の第１面（片面）に転写され、定着手段（不図示）にて熱定着される。
【００５４】
その後、第１面にトナー画像が印刷された用紙は、両面モードの場合に、反転手段（不図示）にて表裏面が反転されて再給紙され、第２面に別のトナー画像が転写され、画像定着された後、排紙トレイ（不図示）に排紙される。
【００５５】
同期検知器２０５は、光電変換素子および信号波形整形回路からなる同期検知手段である。この同期検知器２０５は、感光体ドラム２０４に対する主走査方向の画像書き込み範囲外のレーザ光を検知し、その主走査方向のレーザ光による画像書き込み開始位置を規定するための同期検知信号を生成して書込制御部２０６へ出力する。
【００５６】
書込制御部２０６は、メモリ制御回路、書込クロック生成回路、および走査周期測定回路を備えている。
【００５７】
書込制御部２０６内のメモリ制御回路は、同期検知器２０５からの同期検知信号に基づき、システム制御部２０７からの画像信号をラインメモリ２０８を介してＰＷＭ回路２０９へ送る。
【００５８】
ＰＷＭ回路２０９は、書込制御部２０６から受け取った画像信号に基づいてＰＷＭ信号を生成し、それをＬＤドライバ２１０へ出力する。ＰＷＭ信号の出力は、書込制御部２０６から出力される書込クロックに同期して行う。
【００５９】
書込制御部２０６内の書込クロック生成回路は、書込クロック発生手段であり、主走査画素単位の周期でクロックを生成する。
【００６０】
回転制御部２１１は、回転数設定値（設定された回転数）に応じた基準クロックを、ポリゴンミラー（不図示）と共にポリゴンスキャナ２０２を構成するスキャナモータ（不図示）へ出力する。
【００６１】
書込制御部２０６内の走査周期測定回路は、走査周期測定手段である。この走査周期測定回路は、同期検知器２０５による時間的に連続した２つの同期検知信号の出力間隔内の書込クロック生成回路からの書込クロックをカウント（計数）することにより、ポリゴンスキャナ２０２のポリゴンミラーによる走査周期を測定する。
【００６２】
システム制御部２０７は、この光書込装置を含む画像形成装置（不図示）全体を制御する。システム制御部２０７に格納される制御ソフトウェアは、ソフトウェアを記憶した外部媒体からダウンロードすることで更新が可能である。
【００６３】
操作パネル２１２は、各種情報を入力するための入力部と、各種情報を表示する表示部とからなる。この操作パネル２１２では、用紙の第１面に印刷（作像）する画像と第２面に印刷する画像の主走査倍率と副走査倍率とを個別に設定することが可能である。
【００６４】
なお、用紙の第１面と第２面に対してそれぞれ設定された主走査倍率（印刷する画像の主走査方向の倍率）調整値、副走査倍率（印刷する画像の副走査方向の倍率）調整値に対応するポリゴンスキャナ回転数（ポリゴンミラーの回転数）、および書込クロック周波数の調整量は、表１に示したとおりである。
【００６５】
（光書込装置の処理手順）
図４は、この発明の実施の形態２にかかる光書込装置の処理手順を示すフローチャートである。以下、この図４に基づき、この光書込装置の処理手順を説明する。なお、ここで説明するのは、光書込装置における用紙の第１面の走査倍率設定値と第２面の副走査倍率設定値とが異なる場合の例である。この処理を実行するためのプログラムは、システム制御部２０７に格納されている。
【００６６】
図４のフローチャートにおいて、用紙の第１面の走査を終了する（ステップＳ４０１）。この工程では、用紙の第１面に画像を印刷するために、ポリゴンスキャナ２０２のポリゴンミラーによる感光体ドラム２０４へのレーザ光の走査が実行される。次に、同期検知用強制点灯開始位置を手前側にずらす（ステップＳ４０２）。具体的には、書込制御部２０６が、同期検知用強制点灯位置設定を定常値よりも手前側にずらす。ずらし量は、ポリゴンスキャナ２０２のポリゴンモータの回転数変動を考慮した値である。
【００６７】
続いて、ポリゴン基準クロックを第２面用の値へ切り替える（ステップＳ４０３）。具体的には、回転制御部２１１が、ポリゴンスキャナ２０２のポリゴンモータへ出力する基準クロックを用紙の第２面への画像印刷に対応する回転数設定値に応じた値に切り替える。このとき、画像の走査倍率（主走査倍率または副走査倍率）を調整するためにポリゴンスキャナ２０２の回転数を回転数設定値に切り替える。
【００６８】
そして、書込制御部２０６が、走査周期カウンタ値を取得する（ステップＳ４０４）。この走査周期カウンタ値（ポリゴンミラーによる走査周期）は、走査周期測定回路より取得される。そして、書込制御部２０６が、走査カウンタ値と目標値（目標とする走査周期）との差異を算出する（ステップＳ４０５）。この差異は、「走査カウンタ値−目的値」で求められる。
【００６９】
そして、書込制御部２０６が、算出した差異の絶対値があらかじめ定められた閾値よりも小さい（｜差異｜＜閾値）か否かを検出する（ステップＳ４０６）。ここで、算出した差異の絶対値があらかじめ定められた閾値よりも小さくない（ステップＳ４０６：Ｎｏ）場合は、ステップＳ４０４へ戻り、処理を続ける。
【００７０】
一方、算出した差異の絶対値があらかじめ定められた閾値よりも小さい（ステップＳ４０６：Ｙｅｓ）場合は、同期検知用強制点灯開始位置を定常値に戻す（ステップＳ４０７）。この処理は、書込制御部２０６が行う。書込制御部２０６が書込クロックを第２面用の値に変更する（ステップＳ４０８）。この処理における書込クロックの設定値は、表１に示したとおりである。
【００７１】
続いて、用紙の第２面の走査を終了する（ステップＳ４０９）。この工程では、用紙の第２面に画像を印刷するために、ポリゴンスキャナ２０２のポリゴンミラーによる感光体ドラム２０４へのレーザ光の走査が実行される。次に、同期検知用強制点灯開始位置を手前側にずらす（ステップＳ４１０）。具体的には、書込制御部２０６が、同期検知用強制点灯位置設定を定常値よりも手前側にずらす。ずらし量は、ポリゴンスキャナ２０２のポリゴンモータの回転数変動を考慮した値である。
【００７２】
次に、ポリゴン基準クロックを第１面用の値へ切り替える（ステップＳ４１１）。具体的には、回転制御部２１１が、ポリゴンスキャナ２０２のポリゴンモータへ出力する基準クロックを用紙の第１面への画像印刷に対応する回転数設定値に応じた値に切り替える。このとき、画像の走査倍率（主走査倍率または副走査倍率）を調整するためにポリゴンスキャナ２０２の回転数を回転数設定値に切り替える。
【００７３】
そして、書込制御部２０６が、走査周期カウンタ値を取得する（ステップＳ４１２）。この走査周期カウンタ値（ポリゴンミラーによる走査周期）は、走査周期測定回路より取得される。そして、書込制御部２０６が、走査カウンタ値と目標値（目標とする走査周期）との差異を算出する（ステップＳ４１３）。この差異は、「走査カウンタ値−目的値」で求められる。
【００７４】
そして、書込制御部２０６が、算出した差異の絶対値があらかじめ定められた閾値よりも小さい（｜差異｜＜閾値）か否かを検出する（ステップＳ４１４）。ここで、算出した差異の絶対値があらかじめ定められた閾値よりも小さくない（ステップＳ４１４：Ｎｏ）場合は、ステップＳ４１２へ戻り、処理を続ける。
【００７５】
一方、算出した差異の絶対値があらかじめ定められた閾値よりも小さい（ステップＳ４１４：Ｙｅｓ）場合は、同期検知用強制点灯開始位置を定常値に戻す（ステップＳ４１５）。この処理は、書込制御部２０６が行う。書込制御部２０６が書込クロックを第１面用の値に変更する（ステップＳ４１６）。この処理における書込クロックの設定値は、表１に示したとおりである。
【００７６】
このような処理手順により、走査倍率（主走査倍率または副走査倍率）の設定値を、用紙の縮みを補正する値に変換して、第１面の画像定着時の加熱により用紙が縮むことで第２面に印刷される画像の倍率が第１面に比べて大きくなることを補正できる。また、ポリゴンスキャナ２０２の回転数が不安定な期間中には、同期検知用強制点灯位置設定を定常値よりも手前側にずらしているので、ポリゴンスキャナ２０２の回転数が低回転側に振れて主走査の反復周期が短くなっても、レーザ光が感光体ドラム２０４上の画像領域を走査してしまうようなことはない。
【００７７】
以上説明したように、この実施の形態にかかる光書込装置は、画像の倍率を調整するためにポリゴンスキャナの回転数を切り替える場合に、同期検知信号用強制点灯位置を定常位置からずらしている。したがって、この実施の形態にかかる光書込装置によれば、用紙の第１面と第２面に印刷される画像の倍率を合わせる際に発生するポリゴンスキャナの回転数不安定を回避し、不要な感光体上の光走査を防止することができる。
【００７８】
さらに、この実施の形態の光書込装置を画像形成装置に搭載することで、高速かつ高画質の両面印刷出力を行うことができる。
【００７９】
なお、本実施の形態で説明した光書込方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００８０】
以上のように、この発明にかかる光書込装置、光書込方法、および光書込プログラムは、用紙の第１面と第２面に印刷される画像の倍率を合わせる際に発生するポリゴンスキャナの回転数不安定を回避し、不要な感光体上の光走査を防止することに有用であり、特に、画像形成装置に用いると好適である。
【図面の簡単な説明】
【００８１】
【図１】この発明の実施の形態１にかかる光書込装置の機能的構成を示す図である。
【図２】この発明の実施の形態１にかかる光書込装置の処理手順を示すフローチャートである。
【図３】この発明の実施の形態２にかかる光書込装置の機能的構成を示す図である。
【図４】この発明の実施の形態２にかかる光書込装置の処理手順を示すフローチャートである。
【符号の説明】
【００８２】
１０１，２０１  レーザダイオード（ＬＤ）
１０２，２０２  ポリゴンスキャナ
１０３，２０３  レンズ
１０４，２０４  感光体ドラム
１０５，２０５  同期検知器
１０６，２０６  書込制御部
１０７，２０７  システム制御部
１０８，２０８  ラインメモリ
１０９，２０９  ＰＷＭ回路
１１０，２１０  ＬＤドライバ
１１１，２１１  回転制御部
１１２，２１２  操作パネル
【図１】
2007076061.tif 000004
【図２】
2007076061.tif 000005
【図３】
2007076061.tif 000006
【図４】
2007076061.tif 000007